(57)【要約】【課題】  入力映像信号の映像情報に応じて画質補正を行う画質補正装置において、シーン変化時の補正ズレによる画質劣化を抑制する。【解決手段】  フレームメモリを用いた映像表示処理部の前段の第１映像情報検出部によって検出した映像情報を元に映像の変化量を決定することで、フレームメモリによる映像遅延を利用し、シーン変化時の補正ズレによる画質劣化を抑制することを可能とする。また、映像表示処理部の後段の第２映像情報検出部によって検出した映像情報を元に画質補正量を決定することで、実際に表示される映像情報を元に画質補正量を算出可能なため、より正確な画質補正が可能である。【選択図】  図１
2006311166.tif 000002
【特許請求の範囲】
【請求項１】
映像処理装置であって、
映像信号を記憶するメモリ部を含み、該メモリ部に記憶された映像信号を用いて所定の信号処理を行う映像処理部と、
前記映像処理部に入力される前の映像信号の映像情報を検出する第１の映像情報検出部と、
前記映像表示処理部から出力された映像信号の映像情報を検出する第２の映像情報検出部と、
前記第２の映像情報検出部で検出された映像情報に基づいて得られた画質補正量に基づいて、前記映像表示処理部から出力された映像信号に対して画質補正を行う画質補正処理部と、を備え、
前記第１の映像情報検出部で検出された映像情報からシーン変化に関する情報が得られた場合に、前記画質補正量を修正することを特徴とする映像処理装置。
【請求項２】
映像処理装置において、
入力された映像信号の映像情報を検出する第１の映像情報検出部と、
前記映像信号を記憶するフレームメモリを用いて、該映像信号を表示デバイスで表示可能な形式に変換する映像表示処理部と、
前記映像表示処理部から出力された映像信号の映像情報を検出する第２の映像情報検出部と、
前記第１の映像情報検出部からの現在の映像情報と、保存された前映像情報から、映像情報の変化量を算出する映像変化量算出部と、
前記第２の映像情報検出部からの映像情報に応じて画質補正量を算出する目標補正量算出部と、
前記映像変化量算出部からの映像変化量と、目標補正量算出部からの目標補正量と、保存していた前画質補正量から、画質補正量を算出する補正量算出部と、
前記映像表示処理部から出力された映像信号に対し、前記補正量算出部からの画質補正量に応じて画質補正を行う画質補正処理部と、
を備えることを特徴とする映像処理装置。
【請求項３】
請求項２に記載の映像処理装置において、前記補正量算出部は、前記映像変化量算出部から入力される映像変化量を用いて、前記目標補正量算出部から入力される目標画質補正量の真偽の判定を行い、前記判定の結果、真の場合は前記目標画質補正量と、保存していた前画質補正量から画質補正量を算出し、偽の場合は任意に定めた値を画質補正量とすることを特徴とする映像処理装置。  
【請求項４】
映像処理装置であって、
入力された映像信号の映像情報を検出する第１の映像情報検出部と、
前記映像信号を記憶するフレームメモリを用いて、該映像信号を表示デバイスで表示可能な形式に変換する映像表示処理部と、
前記映像表示処理部から出力された映像信号の映像情報を検出する第２の映像情報検出部と、
前記第１の映像情報検出部からの現在の映像情報と、保存していた前映像情報から、映像情報の変化量を算出する映像変化量算出部と、
前記第２の映像情報検出部からの映像情報に応じて画質補正量を算出する目標補正量算出部と、
前記第１の映像情報検出部からの映像情報と、前記映像変化量算出部からの映像変化量と、目標補正量算出部からの目標補正量と、保存していた前画質補正量から、画質補正量を算出する補正量算出部と、
前記映像表示処理部から出力された映像信号に対し、前記補正量算出部からの画質補正量に応じて画質補正を行う画質補正処理部と、
を備えることを特徴とする映像処理装置。
【請求項５】
請求項４に記載の映像処理装置において、前記補正量算出部は、前記映像変化量算出部から入力される映像変化量を用いて、前記目標補正量算出部から入力される目標画質補正量の真偽の判定を行い、前記判定の結果、真の場合は前記目標画質補正量と、保存していた前画質補正量から画質補正量を算出し、偽の場合は前記第１の映像情報検出部からの映像情報から画質補正量を算出することを特徴とした画質補正装置。
【請求項６】
映像処理装置において、
入力された映像信号の映像情報を検出する第１の映像情報検出部と、
前記映像信号を記憶するフレームメモリを用いて、該映像信号を表示デバイスで表示可能な形式に変換する映像表示処理部と、
前記映像表示処理部から出力された映像信号の映像情報を検出する第２の映像情報検出部と、
前記第１の映像情報検出部からの現在の映像情報と、保存していた前映像情報から、映像情報の変化量を算出する第１の映像変化量算出部と、
前記第２の映像情報検出部からの映像情報に応じて画質補正量を算出する目標補正量算出部と、
前記第２の映像情報検出部からの現在の映像情報と、保存していた前映像情報から、映像情報の変化量を算出する第２の映像変化量算出部と、
前記第１の映像情報検出部からの映像情報と、前記第１の映像変化量算出部からの映像変化量と、目標補正量算出部からの目標補正量と、前記第２の映像変化量算出部からの映像変化量と、保存していた前画質補正量から、画質補正量を算出する補正量算出部と、
前記映像表示処理部から出力された映像信号に対し、前記補正量算出部からの画質補正量に応じて画質補正を行う画質補正処理部と、
を備えることを特徴とする映像処理装置。
【請求項７】
請求項５に記載の映像処理装置において、前記補正量算出部は、前記第１の映像変化量算出部から入力される映像変化量を用いて、前記目標補正量算出部から入力される目標画質補正量の真偽の判定を行い、前記判定の結果、真の場合は前記目標画質補正量と、前記第２の映像変化量算出部からの映像変化量と、保存していた前画質補正量から画質補正量を算出し、偽の場合は前記第１の映像情報検出部からの映像情報から画質補正量を算出することを特徴とする映像処理装置。
【請求項８】
請求項１乃至７のいずれかにに記載の映像処理装置は、前記画質補正処理部によって画質補正された映像信号を表示する表示デバイスを備えた映像表示装置であることを特徴とする映像処理装置。
【発明の詳細な説明】
【技術分野】
【０００１】
本発明は、本発明は、例えばテレビジョン受像機等の映像表示装置、またはＤＶＤプレーやもしくはデジタルチューナを含むセットトップボックス等の映像処理装置に係り、特に、入力映像信号の特徴に応じて画質補正を行う映像表示装置に関する。
【背景技術】
【０００２】
デジタル放送の普及に伴い、ハイビジョン放送のような高画質な映像ソースが増加している。また、高価格なプラズマテレビや液晶テレビの市場が拡大し、ますます高画質に対する関心が高まっている。
【０００３】
これらの映像表示装置における高画質化手法として、入力された映像信号の特徴を検出し、その特徴に合わせてフレームごとに画質補正を行う方法がある。この方法において、映像信号の輝度や彩度補正、輪郭強調等が頻繁に行われると、映像表示装置に表示される映像がチラツキを生じる場合がある。従来技術では、このようなチラツキを抑制するため、画質補正において一度に変化させる補正量を小さくし、補正動作を時間的に遅くしていた。
【０００４】
しかし、明るい映像から暗い映像へ変化する場合のように、映像が大きく変化するような場合、画質補正の変化量を小さくしてしまうと、画質補正が映像の変化についていけないため、映像変化後も緩やかに補正が続けられ、表示されている映像に対して最適な画質補正を行うことができない。
【０００５】
この問題を改善するため、特許文献１、特許文献２に記載の画質補正方法がある。特許文献１では、大きな映像の変化を検出するシーン検出手段を設けることで、補正の変化量を制御し、チラツキおよび補正ズレを抑制している。また、特許文献２では、シーン検出手段においてシーンの変化の程度を検出し、より高度な画質補正を可能としている。
【０００６】
以下に、特許文献２に代表される従来技術による画質補正方法について説明する。
【０００７】
図９は、従来の映像表示装置における画質補正手段のブロック図である。従来の画質補正手段は、補正処理部２０、目標補正量演算部３０、補正量演算部４０、フレームメモリ５０、及び、シーン変化量演算部６０を備える。入力端子１０に入力された映像信号は、補正処理部２０及び目標補正量演算部３０、フレームメモリ５０、シーン変化量演算部６０に入力される。目標補正量演算部３０は、入力された映像信号に応じて目標とする画質補正量を算出する。算出された目標画質補正量は補正量演算部４０に入力される。シーン変化量演算部６０では、入力された現フレームの映像信号と、フレームメモリ５０から出力された前フレームの映像信号とを比較し、シーン変化量を算出する。算出されたシーン変化量は、補正量演算部４０に入力される。補正量演算部４０では、入力された目標補正量とシーン変化量に応じて、最終的な画質補正量を算出する。補正処理部２０では、補正量演算部４０で算出された画質補正量に応じて画質補正を行い、画質補正が行われた映像信号が出力端子１１に出力される。
【０００８】
次に、シーン変化量に応じた画質補正値の算出の構成について説明する。
【０００９】
図１０は、従来の画質補正手段におけるシーン変化量と補正量の関係である。補正量演算部４０では、現在の画質補正量に対し、シーン変化量で定めた変化量を加減算することで入力された目標補正値に画質補正値を近づける処理を行う。ここで変化量は、図１０に示すように、シーン変化量が小さい場合は少ない変化量、シーン変化量が大きい場合は大きい変化量とする。
【００１０】
以上により、小さな映像変化の場合、画質補正値の変化量を抑えることで映像のチラツキを抑制し、大きな映像変化の場合は、映像の変化に追従し、画質補正値も大きく変化させることで補正ズレを抑制している。
【００１１】
【特許文献１】特開２００２−２６２３０３号公報
【特許文献２】特開２００５−０３９７８６号公報
【発明の開示】
【発明が解決しようとする課題】
【００１２】
しかしながら、従来の画質補正手段において、目標補正値の演算及びシーン変化量を算出するための映像データを取得する時間として最低限１フレームの時間が必要となるため、補正量を補正処理部２０に入力した時点では、目標補正値及びシーン変化量の演算に用いた入力映像信号はすでに出力されており、シーン変化に応じた最適な画質補正が出来ないという課題がある。
【００１３】
図１１に映像特徴データの検出タイミングを示し、これを用いて前記課題について説明する。図１１は、タイミングＴ１１１において映像Ａから映像Ｂに変化する映像信号が入力された場合の映像特徴データが確定するタイミングを示している。フレーム毎に映像の特徴に合わせて画質補正を行うためには、１フレーム分の映像特徴データを取得する必要がある。従って、映像Ａから映像Ｂに映像が変化した場合、映像Ｂの特徴データが確定するのは、タイミングＴ１１１から１フレーム遅延したタイミングＴ１１２となる。このように、映像特徴データの取得が終了するのは、映像信号が入力されてから少なくても１フレーム後となる。従って、目標補正量演算部４０、シーン変化量演算部６０からそれぞれの算出値が出力されるまで映像信号の入力から１フレームの時間経過が生じる。このため、映像信号が入力されてから、入力映像信号に適した画質補正値が補正量演算部４０から出力されるまで１フレームの時間が経過する。以上から、従来の画質補正手段の構成では、補正処理部２０に画質補正を行うタイミングでは、すでに次のフレームの映像信号が入力されることになり、シーン変化に完全に追従した画質補正は出来ない。特に、目標補正量演算部やシーン変化量演算部、補正量演算部等をＣＰＵで構成し、Ｉ２Ｃバス等のシリアルバスを用いて補正処理部を制御する構成となった場合、制御までに時間がかかり、１フレーム以上の遅延が生じてしまう恐れがある。例えば、明るいシーンから暗いシーンに変化した場合、明るいシーン用の画質補正量が暗いシーンにかかってしまう状態が一瞬あるため、補正ズレによる画質劣化が生じてしまう。
【００１４】
本発明は、上記課題に鑑みて為されたものであって、その目的は、映像信号の画質補正を行うにあたり、シーン変化によって生じる補正ズレによる画質劣化を低減可能な技術を提供することにある。
【課題を解決するための手段】
【００１５】
上記目的を達成するために、本発明では、例えばフレームメモリなどのメモリ部を用いて映像信号に対して所定の信号処理を行う映像処理部の前後の映像信号から、それぞれ映像情報を検出する２つの映像情報検出部を設けた。そして本発明は、映像処理部の前の検出部で検出された映像情報からからシーン変化（シーンチェンジ）を判定し、映像処理部の後の検出部で検出された映像情報から画質補正量を求めるようにし、上記シーンチェンジが発生した場合に上記画質補正量を修正して画質補正を行うようにしたことを特徴とするものである。
【００１６】
具体的には、本発明は、入力映像信号の信号形式を、ＰＤＰやＬＣＤ等の表示デバイスに表示可能な形式に変換するための信号処理を、フレームメモリを用いて行う映像表示処理部と、前記映像表示処理部の前段に映像情報を検出する第１映像情報検出部と、前記映像表示処理部の後段に映像情報を検出する第２映像情報検出部と、前記第１映像情報検出部からの映像情報から映像変化量を検出する映像変化量算出部と、前記第２映像情報検出部からの映像情報から画質補正量を算出する目標補正量算出部と、前記映像変化量検出部からの映像変化量と、目標補正量算出部からの目標画質補正量と、を入力とし、それらの入力データから画質補正量を算出する補正量算出部と、前記補正量算出部からの画質補正量に応じて、画質補正を行う画質補正処理部と、を備える。
【００１７】
上記構成によれば、フレームメモリを用いた映像表示処理部の前段の第１映像情報検出部によって検出した映像情報から映像変化量を算出し、これを画質補正量算出に用いることで、フレームメモリによる映像遅延を利用し、シーン変化時の補正ズレによる画質劣化を抑制することを可能とする。また、映像表示処理部の後段の第２映像情報検出部によって検出した映像情報を元に画質補正量を決定することで、実際に表示される映像情報を元に画質補正量を算出可能なため、より正確な画質補正が可能である。
【発明の効果】
【００１８】
本発明によれば、シーン変化によって生じる補正ズレによる画質劣化を低減し、高画質な映像が表示可能となる。
【発明を実施するための最良の形態】
【００１９】
以下、本発明の実施形態について、図面を参照しつつ説明する。
【実施例１】
【００２０】
図１は本発明の第１実施例に係る映像表示装置のブロック図である。本実施例の映像表示装置は、映像表示処理部１０２、フレームメモリ１０３、画質補正処理部１０４、第１映像情報検出部１０５、映像変化量算出部１０６、第２映像情報検出部１０７、目標補正量算出部１０８、補正量算出部１０９を備えることを特徴とする。
【００２１】
次に本実施例の動作について説明する。入力端子１０１から入力された映像信号は、映像表示処理部１０２、第１映像情報検出部１０５に入力される。映像表示処理部１０２は、インタレース信号をノンインタレース信号に変換するＩＰ変換処理や、拡大や縮小等のスケーリング処理、出力信号の周波数等を変更するスキャンコンバート処理等を行い、入力された映像信号を映像表示デバイスで表示可能な形式に変換する。ここでの映像処理において、フレームメモリ１０２を介した処理が行われることで、映像表示処理部１０２に入力された映像信号は、１フレーム遅延して出力される。映像表示処理部１０２から出力された映像信号は、画質補正処理部１０４、第２映像情報検出部１０７に入力される。画質補正処理部１０４は、入力された映像信号を補正量算出部１０９からの画質補正量に従い画質補正を行い、出力端子１０１から画質補正された映像信号を出力する。第１映像情報検出部１０５は、入力された映像信号の平均輝度や最大値、最小値等の映像情報を検出し、検出した映像情報は映像信号入力から１フレーム後に映像変化量算出部１０６に出力される。映像変化量算出部１０６は、入力された映像情報の保存メモリを持ち、前回入力された映像情報と今回入力された映像情報の差を映像変化量を算出する。算出された映像変化量は、補正量算出部１０９に入力される。第２映像情報検出部１０７は、入力された映像信号の平均輝度や最大値、最小値、輝度や彩度のヒストグラム等の第１映像情報検出部１０５に比べより詳細な映像情報を検出し、検出した映像情報は映像入力から１フレーム後に目標補正量算出部１０８に入力される。目標補正量算出部１０８は、入力された映像情報に応じて目標画質補正量を算出し、目標画質補正量を補正量算出部１０９に入力する。補正量算出部１０９は、画質補正量の保存メモリを持ち、入力された映像変化量、目標画質補正量及び前回の画質補正量から、最終的な画質補正量を算出し、画質補正処理部１０４に画質補正量を入力する。
【００２２】
次に図２を用いて映像情報検出と画質補正のタイミングについて説明する。図２は、第１実施例における入力映像変化に対する映像情報検出タイミングのタイムチャートである。入力映像信号が映像Ａから映像ＢにT201のタイミングで変化した場合、第１映像情報検出部１０５はT202のタイミングで映像Ｂの映像情報を検出する。また、映像表示処理部１０２での映像遅延が１フレームの場合、第１映像情報検出部１０５と同様に、T202のタイミングで映像Ａから映像Ｂに変化する。第２映像情報検出部１０７は、映像表示処理部１０２の出力結果から映像情報検出を行うため、T203のタイミングで映像表示デバイスに表示される形式における映像情報データを検出する。映像変化量算出部１０６は、T202のタイミングで第１映像情報検出部から映像情報を受け取り、前回の映像情報との差分を補正量算出部１０９に出力する。また、T202のタイミングにおける目標補正量算出部１０８から補正量算出部１０９に入力される目標補正量は、１フレーム前映像である、映像Ａに対する目標補正量となる。ここで、映像変化量算出部１０９に入力された映像変化量が大きい場合、同タイミングで入力されている目標補正量は信頼できないものであると判定できる。
【００２３】
次に図３を用いて補正量算出部１０９の動作について説明する。図３は補正量算出部１０９の詳細構成図である。
【００２４】
図３に示すように、補正量算出部１０９は、変化量判定部３０９、補正量判定部３１９、補正量決定部３２９、メモリ３３９で構成される。入力された映像変化量は変化量判定部３０９で変化量の正負と、任意に定めた変化量以上か判定され、その結果が補正量決定部３２９に入力される。補正量判定部３１９は、目標補正量とメモリ３３９からの前回の画質補正量が入力され、目標補正量と前回の画質補正量の大小関係から補正方向を判定し、その結果が補正量決定部３２９に入力される。補正量決定部３２９は、補正量判定部３１９からの画質補正方向と、メモリ３３９からの前回の画質補正量とを用いて、最終的な画質補正量を算出する。目標補正量をＴ、任意に定めた補正量をα、前回の補正量をＤ’、算出される補正量をＤとした時、例えば次のように動作する。
【００２５】
（Ｔ＞Ｄ’の場合）  Ｄ＝Ｄ’＋α
（Ｔ＜Ｄ’の場合）  Ｄ＝Ｄ’−α
（Ｔ＝Ｄ’の場合）  Ｄ＝Ｄ’
本例では、加減算とも同値の補正量αとしたが、演算方向に応じて補正量を別に定めても構わない。また、補正量αを加算の結果、Ｔ＜Ｄとなった場合、補正量αを減算の結果、Ｔ＞Ｄになった場合は、それぞれ目標補正量Ｔでリミットする。
【００２６】
次に、変化量判定信号から前記算出した画質補正量が信頼できるものか判断する。画質補正量は１フレーム前の映像情報に基づき算出されたものであるため、映像変化量が大きい場合は、実際に画質補正がかかる映像信号に対し画質劣化を生じさせる画質補正量となっている可能性がある。画質補正量の信頼性判定方法の一例を以下に示す。
【００２７】
例えば、映像変化量を、平均輝度信号を用いて算出している場合、映像が明るいシーンから、暗いシーンに変化した場合、大きな負方向の映像変化量が検出される。ここで、目標補正量が、明るいシーンでは大きく、暗いシーンでは小さい値となる場合、補正量算出部１０９には、負方向の大きな映像変化量、及び、１フレーム前の映像情報に従い、大きな目標補正量が入力される。この時、補正量算出部では、目標補正量に従い、画質補正量を増加させる演算を行うが、映像変化量として負方向（暗くなり）で且つ大きな変化が入力されているため、暗いシーンでは、小さい値を画質補正量の目標とするという動作と相反することが分かる。この時、画質補正量の算出結果は信頼できないものとして判定する。また、前記内容において、明るいシーンが更に明るくなった場合、映像変化量は正方向の大きな値となるため、画質補正量の演算方向と、画質補正の目標とが一致しているため、画質補正量の算出結果は信頼できるものとする。
【００２８】
前記のように、変化量判定結果から画質補正量の信頼性を判定し、画質補正量が信頼できる場合は、算出結果をそのまま画質補正処理部１０４に出力するとともに、メモリ３３９に保存する。また、信頼できない場合は、任意に定めた画質補正量に置き換えて、画質補正処理部１０４及びメモリ３３９に画質補正量を入力する。この場合の任意に定めた画質補正量の例として、画質補正量を０として、画質補正かけない状態に戻す等が考えられる。
【００２９】
以上の動作により、フレームメモリを介した映像表示処理部１０２の前段の映像情報の変化量から、画質補正量の信頼性を判断し、画質補正量を決定することで、シーン変化時の補正ズレによる画質劣化を抑制することができる。また、シーン変化の少ない安定した映像信号の場合、映像表示処理部１０２の後段の映像情報によって画質補正を行うことで、実際に表示される映像情報を元に画質補正量を算出するため、より正確な画質補正が可能となる。
【００３０】
このように、本実施例は、映像表示処理部１０２の出力信号から映像情報を検出して画質補正量を求めるとともに、映像表示処理部１０２への入力信号から映像情報を検出してシーン変化を判定するようにしている。そして、表示処理前の映像情報からシーン変化に関する情報が得られた場合に、表示処理後の映像情報から得られた画質補正量を変更する。従って、このような構成を有する本実施例によれば、画質補正に係る映像のシーン変化に対する追従性が向上され、シーン変化が生じても適切な画質補正を与えることができる。従って、シーンチェンジ前後(特に直後)の映像に対し、良好な画質補正を行うことが可能となり、高画質な映像が表示可能となる。
【実施例２】
【００３１】
図４は、本発明の第２実施例に係る画質補正装置のブロック図である。図４において、第１実施例と同様の動作をするものは、同一図番を用いる。第２実施例は、第１実施例における補正量算出部１０９に、第１映像情報検出部１０５からの映像情報を入力し、補正量算出部で行う、信頼性判定の精度を向上させたものである。第１実施例との違いは、補正量算出部４０９のみため、図５を用いて、補正量算出部４０９の動作について説明する。
【００３２】
図５は補正量算出部４０９の詳細構成図である。図５において、第１実施例と同様の動作をするものは同一図番を用いる。
【００３３】
図５に示すように、補正量算出部４０９は、変化量判定部３０９、補正量判定部３１９、補正量決定部５２９、メモリ３３９で構成される。補正量算出部４０９は補正量算出部１０９に対して第１映像情報検出部１０５からの映像情報を補正量決定部５２９に入力するようにしたものである。補正量決定部５２９は、補正量３２９と同様に、補正量判定部３１９からの画質補正方向と、メモリ３３９からの前回の画質補正量とを用いて、最終的な画質補正量を算出する。また、変化量判定部３０９からの変化量判定結果から画質補正値の信頼性判定を行ない、信頼できないと判定した場合は入力された映像情報を元に画質補正値を決定する。図６に信頼できないと判定した場合の画質補正値の出力例を示す。図６の例では、信頼できないと判定した場合の画質補正量は、映像情報データがＰ以下の場合は０、それ以上では映像情報データに比例して増加していく。
【００３４】
以上の動作により、フレームメモリを介した映像表示処理部１０２の前段の映像情報の変化量から、画質補正量の信頼性を判断するとともに、その映像情報から画質補正量を決定することで、シーン変化時の補正ズレによる画質劣化を抑制を、より正確に行うことができる。
【実施例３】
【００３５】
図７は、本発明の第３実施例に係る画質補正装置のブロック図である。図７において、第１、第２実施例と同様の動作をするものは、同一図番を用いる。第３実施例は、第２実施例において、第２映像情報検出部の映像情報から映像変化量を検出する第２映像変化量検出部７１０を加えたものである。また、第２映像変化量検出部７１０からの第２映像変化量データは、補正量算出部７０９に入力さる。ここで、補正量算出部７０９で行われる前回の画質補正量を目標補正量に近づける演算において、その変化量を入力された第２映像変化量を用いて制御することで、画質補正量の映像変化への追従性を改善する。次に図８を用いて補正量算出部７０９の動作について説明する。
【００３６】
図８は補正量算出部７０９の詳細構成図である。図８において、第１、第２実施例と同様の動作をするものは同一図番を用いる。
【００３７】
図８に示すように、補正量算出部７０９は、変化量判定部３０９、補正量判定部３１９、補正量決定部８２９、メモリ３３９で構成される。補正量算出部７０９は補正量算出部４０９に対して第２映像変化量検出部７１０からの第２映像変化量を補正量決定部８２９に入力するようにしたものである。補正量決定部８２９は、補正量５２９と同様に、補正量判定部３１９からの画質補正方向と、メモリ３３９からの前回の画質補正量とを用いて、最終的な画質補正量を算出する。ここで、目標補正量をＴ、任意に定めた補正量をα、前回の補正量をＤ’、算出される補正量をＤとした時、例えば次のように動作する。
【００３８】
（Ｔ＞Ｄ’の場合）  Ｄ＝Ｄ’＋α
（Ｔ＜Ｄ’の場合）  Ｄ＝Ｄ’−α
（Ｔ＝Ｄ’の場合）  Ｄ＝Ｄ’
第１実施例において、αは任意に定めた補正量としたが、第３の実施例では第２映像変化量に応じて、αの値を変化させることを特徴とする。例えば、第２映像変化量が小さければαの値を小さく、第２映像変化量が大きければαの値を大きくすることで、大きなシーン変化がある場合は、高速に画質補正量を映像に合わせて追従させ、シーン変化が少ない場合は、低速に画質補正量を追従させることで、画質補正量変化によるチラツキを抑制することが可能となる。
【産業上の利用可能性】
【００３９】
本発明に係わる映像処理装置は、例えば、ＣＲＴ、ＰＤＰ、ＬＣＤ，ＦＥＤやその他表示デバイスを用いたテレビジョン受像機に利用できる。なお、上記説明においては、映像処理装置として、テレビジョン受像機などの映像処理装置を例にして説明したが、ＤＶＤプレーヤまたはデジタルチューナを備えたセットトップボックス、またはハードディスクレコードにも適用できる。また、ＬＣＤ、ＰＤＰ、ＦＥＤに限らず背面投射型表示装置にも適用可能であることは言うまでもない。
【図面の簡単な説明】
【００４０】
【図１】本発明の第１実施形態における画質補正装置のブロック図
【図２】本発明の第１実施形態における入力映像変化に対する映像情報検出タイミングのタイムチャート
【図３】本発明の第１実施形態における補正量算出部の詳細ブロック図
【図４】本発明の第２実施形態における画質補正装置のブロック図
【図５】本発明の第２実施形態における補正量算出部の詳細ブロック図
【図６】本発明の第２実施形態における画質補正量と映像情報の関係の一例
【図７】本発明の第３実施形態における画質補正装置のブロック図
【図８】本発明の第３実施形態における補正量算出部の詳細ブロック図
【図９】従来の画質補正装置のブロック図
【図１０】従来の画質補正装置におけるシーン変化量と補正量の関係
【図１１】従来の画質補正装置における入力映像変化に対する映像情報検出タイミングのタイムチャート
【符号の説明】
【００４１】
１０…入力端子、１１…出力端子、２０…補正処理部、３０…目標補正量演算部、４０…補正量演算部、５０…フレームメモリ、６０…シーン変化量演算部、１００…入力端子、１０１…出力端子、１０２…映像表示処理部、１０３…フレームメモリ、１０４…画質補正処理部、１０５…第１映像情報検出部、１０６…映像変化量算出部、１０７…第２映像情報検出部、１０８…目標補正量算出部、１０９…補正量算出部、３０９…変化量判定部、３１９…補正量判定部、３２９…補正量決定部、３３９…メモリ、４０９…補正量算出部、５２９…補正量決定部、７１０…第２映像変化量算出部、７０９…補正量算出部、８２９…補正量決定部
【図１】
2006311166.tif 000003
【図２】
2006311166.tif 000004
【図３】
2006311166.tif 000005
【図４】
2006311166.tif 000006
【図５】
2006311166.tif 000007
【図６】
2006311166.tif 000008
【図７】
2006311166.tif 000009
【図８】
2006311166.tif 000010
【図９】
2006311166.tif 000011
【図１０】
2006311166.tif 000012
【図１１】
2006311166.tif 000013